【事件の表示】
　特願２００５−　２９２７１「磁気軸受モーターおよびその軸受構造」拒絶査定不服審判事件〔平成１７年　９月　２日出願公開、特開２００５−２３７１９２〕について、次のとおり審決する。
【結　論】
　本件審判の請求は、成り立たない。
【理　由】
１．手続の経緯
　本願は、平成１７年２月４日（特許法第４３条の２第１項に規定するパリ条約の例による優先権主張２００４年２月２０日、（ＴＷ）台湾）の出願であって、平成２０年６月１０日付けで拒絶査定がなされ、これに対し、同年９月１２日に拒絶査定に対する審判請求がなされるとともに、同日付けで手続補正がなされたものである。
　その後、当審において平成２１年１０月２０日付けで審尋がなされたが、所定の期間内に回答書の提出等はなされていない。
　
２．平成２０年９月１２日付けの手続補正書による補正（以下「本件補正」という。）についての補正却下の決定
［補正却下の決定の結論］
　本件補正を却下する。
　
［理由］
（１）．本件補正の内容
　本件補正は、特許請求の範囲について、本件補正前の平成１９年１２月１１日付け手続補正書により補正された下記（ア）のとおりであったものを、下記（イ）のとおりに補正するものである。
　
（ア）本件補正前の特許請求の範囲
　　「【請求項１】
　少なくとも中心に一つの開口を有する一つの固定子ベース、前記開口内に位置する一つの第一磁気固定構造、前記開口の口部周縁に位置する一つの第二磁気固定構造と、前記固定子ベースの上に位置する一つの固定子磁極を含む固定子構造、および
　前記固定子構造の一つの側面の上を覆い、ハウジングと、前記開口に挿入される軸と、前記固定子磁極を囲む回転子磁石と、前記第一磁気固定構造に対向して配置される一つの第三磁気固定構造と、前記第二磁気固定構造に対向して配置される一つの第四磁気固定構造とを含む回転子構造を備え、
　軸の軸心の延伸線は前記第一磁気固定構造上を通過し、
　前記第一磁気固定構造は、前記第三磁気固定構造と互いに吸引し、前記第二磁気固定構造は、前記第四磁気固定構造と互いに吸引する磁気軸受モーター。
　　【請求項２】
　前記固定子構造は、一つの耐摩擦構造を更に有し、前記軸は、前記耐摩擦構造と小面積接触、および／または点接触する請求項１に記載の磁気軸受モーター。
　　【請求項３】
　前記第一磁気固定構造は、前記開口底部に位置し、少なくとも一つの第一磁石と前記第一磁石の周縁を囲む一つの第二磁石を含み、且つ、前記第一磁石と前記第二磁石は、互いに吸引し、前記第三磁気固定構造と前記第二磁石は、互いに吸引し、前記軸と前記第一磁石は、互いに吸引する請求項１に記載の磁気軸受モーター。
　　【請求項４】
　前記第一磁気固定構造、前記第二磁気固定構造、前記第三磁気固定構造と、前記第四磁気固定構造が構成したグループの中の一つの磁気作用面の相対面は、透磁材料層を更に含む請求項１に記載の磁気軸受モーター。
　　【請求項５】
　前記固定子構造と前記回転子構造を覆うフレームを更に含む請求項１に記載の磁気軸受モーター。
　　【請求項６】
　前記軸は、前記ハウジングの両側面までに延伸して突出し、前記第二磁気固定構造は、前記ハウジングと対向する前記軸の位置に設置され、少なくとも第三磁石と前記第三磁石の周縁を囲む第四磁石を含み、且つ、前記第三磁石と前記第四磁石は、互いに吸引し、前記第四磁気固定構造は、前記第四磁石と互いに吸引し、前記軸は、前記第三磁石と互いに吸引する請求項５に記載の磁気軸受モーター。
　　【請求項７】
　前記フレームの前記軸に対向する位置に設置された一つの第五磁気固定構造と、前記フレーム上、且つ、前記第五磁気固定構造と対向する位置に設置され、第五磁気固定構造と互いに吸引する一つの第六磁気固定構造を更に含む請求項５に記載の磁気軸受モーター。
　　【請求項８】
　前記軸は延伸し、前記ハウジングの両側面から突出し、且つ、前記第五磁気固定構造は、少なくとも一つの第五磁石と前記第五磁石の周縁を囲む一つの第六磁石を含み、且つ、前記第五磁石と前記第六磁石は、互いに吸引し、前記第六磁気固定構造は、前記第六磁石と互いに吸引し、前記軸は、前記第五磁石と互いに吸引する請求項７に記載の磁気軸受モーター。
　　【請求項９】
　前記回転子構造と前記固定子構造の間に位置する一つの界面構造を更に含み、前記回転子構造は、前記界面構造を通して前記固定子構造と互いに接触し、且つ、前記界面構造の形式は、球状、楕円状、渦巻き状、トップが弧状の円錐状、対応する両側に曲面を有する構造、トップが弧状の矢の形、一つ側に曲面を有する構造で構成されたグループの中の一つから選ぶ請求項１に記載の磁気軸受モーター。
　　【請求項１０】
　前記界面構造は、前記軸として機能する請求項９に記載の磁気軸受モーター。
　　【請求項１１】
　前記固定子磁極のソレノイドの形式は、径方向のソレノイド、軸方向のソレノイドで構成されたグループの中の一つから選ぶ請求項１に記載の磁気軸受モーター。
　　【請求項１２】
　少なくとも一つの開口と、前記開口内に位置する一つの第一磁気固定構造と、前記開口の口部周縁に位置する一つの第二磁気固定構造を有する一つの第一ハウジング、および
　少なくとも一つの本体と、前記開口に挿入される一つの軸と、前記第一磁気固定構造に対向して配置される一つの第三磁気固定構造と、前記第二磁気固定構造に対向して配置される一つの第四磁気固定構造とを有する一つの第二ハウジング含み、
　軸の軸心の延伸線は前記第一磁気固定構造上を通過し、
　前記第一磁気固定構造は、前記第三磁気固定構造と互いに吸引し、前記第二磁気固定構造と前記第四磁気固定構造は、互いに吸引する磁気軸受構造。
　　【請求項１３】
　前記第一ハウジングは、一つの耐摩擦構造を更に有し、前記軸は、前記耐摩擦構造と小面積接触、および／または点接触する請求項１２に記載の磁気軸受構造。
　　【請求項１４】
　前記第一磁気固定構造は、前記開口底部に位置し、少なくとも一つの第一磁石と前記第一磁石の周縁を囲む一つの第二磁石を含み、且つ、前記第一磁石と前記第二磁石は、互いに吸引し、前記第三磁気固定構造は、前記第二磁石と互いに吸引し、且つ、前記軸は、前記第一磁石と互いに吸引する請求項１２に記載の磁気軸受構造。
　　【請求項１５】
　前記第一磁気固定構造、前記第二磁気固定構造、前記第三磁気固定構造と、前記第四磁気固定構造が構成したグループの中の一つの磁気作用面の対応面は、透磁材料層を更に含む請求項１２に記載の磁気軸受構造。
　　【請求項１６】
　前記軸は、延伸し、前記本体の一つの側面、または両側面に突出する請求項１２に記載の磁気軸受構造。
　　【請求項１７】
　前記本体の一つ中央突出部は、延伸し、前記本体に突出し、前記開口に入り、前記軸として機能する請求項１２に記載の磁気軸受構造。
　　【請求項１８】
　前記中央突出部は、挿入開口を有し、その口部は、前記第一磁気固定構造の前記本体の中央部から離れている請求項１７に記載の磁気軸受構造。
　　【請求項１９】
　前記第一ハウジングと前記第二ハウジングの間に位置する一つの界面構造を更に含み、前記第二ハウジングは、前記界面構造を通して前記第一ハウジングと互いに接触し、且つ、前記界面構造の形式は、球状、楕円状、渦巻き状、トップが弧状の円錐状、対応する両側に曲面を有する構造、トップが弧状の矢の形、一つ側に曲面を有する構造で構成されたグループの中の一つから選ぶ請求項１２に記載の磁気軸受構造。
　　【請求項２０】
前記界面構造は、前記軸として機能する請求項１９に記載の磁気軸受構造。
　　【請求項２１】
　少なくとも一つの中空部を有し、前記ハウジングの一端の内表面に位置する第一磁気固定構造と、前記ハウジングに対応する端の内表面に位置する第二磁気固定構造を有するハウジング、および
　少なくとも一つのローダ、前記ローダのトップに位置するとともに、ハウジングに突出する接続部、前記ローダの底面に位置した一つのピボット構造と、前記第一磁気固定構造に対向して配置される一つの第三磁気固定構造と、前記第二磁気固定構造に対向して配置される一つの第四磁気固定構造を有する回転子構造を含み、
軸の軸心の延伸線は前記第一磁気固定構造上を通過し、
　前記第一磁気固定構造は、前記第三磁気固定構造と前記ピボット構造と互いに吸引し、前記第二磁気固定構造と前記第四磁気固定構造が互いに吸引する磁気軸受構造。
　　【請求項２２】
　前記第一磁気固定構造は、少なくとも一つの第一磁石と前記第一磁石の周縁を囲む一つの第二磁石を含み、且つ、前記第一磁石と前記第二磁石は、互いに吸引し、前記第三磁気固定構造は、前記第二磁石と互いに吸引し、且つ、前記ピボット構造は、前記第一磁石と互いに吸引する請求項２１に記載の磁気軸受構造。
　　【請求項２３】
　前記第一磁気固定構造の一つ側の表面は、一つの耐摩擦構造を有し、前記ピボット構造は、前記耐摩擦構造と点接触、および／または小面積接触する請求項２１に記載の磁気軸受構造。
　　【請求項２４】
　前記第一磁気固定構造、前記第二磁気固定構造、前記第三磁気固定構造と、前記第四磁気固定構造が構成したグループの中の一つの磁気作用面の相対面に透磁材料層を更に含む請求項２１に記載の磁気軸受構造。
　　【請求項２５】
　前記回転子構造と前記ハウジングの間に位置する一つの界面構造を更に含み、前記回転子構造は、前記界面構造を通して前記ハウジングと互いに接触し、且つ、前記界面構造の形式は、球状、楕円状、渦巻き状、トップが弧状の円錐状、対応する両側に曲面を有する構造、トップが弧状の矢の形、一つ側に曲面を有する構造で構成されたグループの中の一つから選ぶ請求項２１に記載の磁気軸受構造。
　　【請求項２６】
　前記界面構造は、前記ピボット構造として機能する請求項２５に記載の磁気軸受構造。
　　【請求項２７】
　少なくとも中心に一つの開口を有する一つの固定子ベース、前記開口内に位置する一つの第一磁気固定構造セット、前記開口の口部周縁に位置する一つの第二磁気固定構造セットと、前記固定子ベースの上に位置する一つの固定子磁極を含む固定子構造、および
　前記固定子構造の側面上を覆い、少なくともハウジングと、前記開口に挿入される軸と、前記固定子磁極を囲む回転子磁石と、前記第一磁気固定構造セットに対向して配置される一つの第三磁気固定構造セットと、前記第二磁気固定構造セットに対向して配置される一つの第四磁気固定構造セットとを含む回転子構造を備え、
　前記第一磁気固定構造セットは、前記第三磁気固定構造セットと互いに作用し、前記第二磁気固定構造セットは、前記第四磁気固定構造セットと互いに作用し、且つ前記第二磁気固定構造セット及び前記第四磁気固定構造セットと前記軸との距離は、前記第一磁気固定構造セット及び前記第三磁気固定構造セットと前記軸との距離より大きくする磁気軸受モーター。」
　
（イ）本件補正後の特許請求の範囲
　「【請求項１】
少なくとも中心に一つの開口を有する一つの固定子ベース、前記開口内に位置する一つの第一磁気固定構造、前記開口の口部周縁に位置する一つの第二磁気固定構造と、前記固定子ベースの上に位置する一つの固定子磁極を含む固定子構造、および
前記固定子構造の一つの側面の上を覆い、ハウジングと、前記開口に挿入される軸と、前記固定子磁極を囲む回転子磁石と、前記第一磁気固定構造に対向して配置される一つの第三磁気固定構造と、前記第二磁気固定構造に対向して配置される一つの第四磁気固定構造とを含む回転子構造を備え、
前記第一磁気固定構造は、前記第三磁気固定構造と
軸方向に
軸方向に
し、前記第一磁気固定構造は、前記開口底部に位置し、少なくとも一つの第一磁石と前記第一磁石の周縁を囲む一つの第二磁石を含み、且つ、前記第一磁石と前記第二磁石は、互いに吸引し、前記第三磁気固定構造と前記第二磁石は、互いに吸引し、前記軸と前記第一磁石は、互いに作用
　　【請求項２】
前記固定子構造は、一つの耐摩擦構造を更に有し、前記軸は、前記耐摩擦構造と小面積接触、および／または点接触する請求項１に記載の磁気軸受モーター。
　　【請求項３】
前記第一磁気固定構造、前記第二磁気固定構造、前記第三磁気固定構造と、前記第四磁気固定構造が構成したグループの中の一つの磁気作用面の相対面は、透磁材料層を更に含む請求項１に記載の磁気軸受モーター。
　　【請求項４】
前記固定子構造と前記回転子構造を覆うフレームを更に含む請求項１に記載の磁気軸受モーター。
　　【請求項５】
前記軸は、前記ハウジングの両側面までに延伸して突出し、前記第二磁気固定構造は、前記ハウジングと対向する前記軸の位置に設置され、少なくとも第三磁石と前記第三磁石の周縁を囲む第四磁石を含み、且つ、前記第三磁石と前記第四磁石は、互いに吸引し、前記第四磁気固定構造は、前記第四磁石と互いに吸引し、前記軸は、前記第三磁石と互いに吸引する請求項
４
　　【請求項６】
前記フレームの前記軸に対向する位置に設置された一つの第五磁気固定構造と、前記フレーム上、且つ、前記第五磁気固定構造と対向する位置に設置され、第五磁気固定構造と互いに吸引する一つの第六磁気固定構造を更に含む請求項
４
　　【請求項７】
前記軸は延伸し、前記ハウジングの両側面から突出し、且つ、前記第五磁気固定構造は、少なくとも一つの第五磁石と前記第五磁石の周縁を囲む一つの第六磁石を含み、且つ、前記第五磁石と前記第六磁石は、互いに吸引し、前記第六磁気固定構造は、前記第六磁石と互いに吸引し、前記軸は、前記第五磁石と互いに吸引する請求項
６
　　【請求項８】
前記回転子構造と前記固定子構造の間に位置する一つの界面構造を更に含み、前記回転子構造は、前記界面構造を通して前記固定子構造と互いに接触し、且つ、前記界面構造の形式は、球状、楕円状、渦巻き状、トップが弧状の円錐状、対応する両側に曲面を有する構造、トップが弧状の矢の形、一つ側に曲面を有する構造で構成されたグループの中の一つから選ぶ請求項１に記載の磁気軸受モーター。
　　【請求項９】
前記界面構造は、前記軸として機能する請求項
８
　　【請求項１０】
前記固定子磁極のソレノイドの形式は、径方向のソレノイド、軸方向のソレノイドで構成されたグループの中の一つから選ぶ請求項１に記載の磁気軸受モーター。
　　【請求項１１】
少なくとも一つの開口と、前記開口内に位置する一つの第一磁気固定構造と、前記開口の口部周縁に位置する一つの第二磁気固定構造を有する一つの第一ハウジング、および
少なくとも一つの本体と、前記開口に挿入される一つの軸と、前記第一磁気固定構造に対向して配置される一つの第三磁気固定構造と、前記第二磁気固定構造に対向して配置される一つの第四磁気固定構造とを有する一つの第二ハウジング含み、
前記第一磁気固定構造は、前記第三磁気固定構造と互いに吸引し、前記第二磁気固定構造と前記第四磁気固定構造は、互いに吸引
し、前記第一磁気固定構造は、前記開口底部に位置し、少なくとも一つの第一磁石と前記第一磁石の周縁を囲む一つの第二磁石を含み、且つ、前記第一磁石と前記第二磁石は、互いに吸引し、前記第三磁気固定構造は、前記第二磁石と互いに吸引し、且つ、前記軸は、前記第一磁石と互いに作用
　　【請求項１２】
前記第一ハウジングは、一つの耐摩擦構造を更に有し、前記軸は、前記耐摩擦構造と小面積接触、および／または点接触する請求項
１１
　　【請求項１３】
前記第一磁気固定構造、前記第二磁気固定構造、前記第三磁気固定構造と、前記第四磁気固定構造が構成したグループの中の一つの磁気作用面の対応面は、透磁材料層を更に含む請求項
１１
　　【請求項１４】
前記軸は、延伸し、前記本体の一つの側面、または両側面に突出する請求項
１１
　　【請求項１５】
前記本体の一つ中央突出部は、延伸し、前記本体に突出し、前記開口に入り、前記軸として機能する請求項
１１
　　【請求項１６】
前記中央突出部は、挿入開口を有し、その口部は、前記第一磁気固定構造の前記本体の中央部から離れている請求項
１５
　　【請求項１７】
前記第一ハウジングと前記第二ハウジングの間に位置する一つの界面構造を更に含み、前記第二ハウジングは、前記界面構造を通して前記第一ハウジングと互いに接触し、且つ、前記界面構造の形式は、球状、楕円状、渦巻き状、トップが弧状の円錐状、対応する両側に曲面を有する構造、トップが弧状の矢の形、一つ側に曲面を有する構造で構成されたグループの中の一つから選ぶ請求項
１１
　　【請求項１８】
前記界面構造は、前記軸として機能する請求項
１７
　　【請求項１９】
少なくとも一つの中空部を有し、前記ハウジングの一端の内表面に位置する第一磁気固定構造と、前記ハウジングに対応する端の内表面に位置する第二磁気固定構造を有するハウジング、および
少なくとも一つのローダ、前記ローダのトップに位置するとともに、ハウジングに突出する接続部、前記ローダの底面に位置した一つのピボット構造と、
前記ローダの底面に位置した
前記ローダのトップに位置した
前記第一磁気固定構造は、前記第三磁気固定構造と前記ピボット構造と互いに吸引し、前記第二磁気固定構造と前記第四磁気固定構造が互いに吸引
し、前記第一磁気固定構造は、少なくとも一つの第一磁石と前記第一磁石の周縁を囲む一つの第二磁石を含み、且つ、前記第一磁石と前記第二磁石は、互いに吸引し、前記第三磁気固定構造は、前記第二磁石と互いに吸引し、且つ、前記ピボット構造は、前記第一磁石と互いに作用
　　【請求項２０】
前記第一磁気固定構造の一つ側の表面は、一つの耐摩擦構造を有し、前記ピボット構造は、前記耐摩擦構造と点接触、および／または小面積接触する請求項
１９
　　【請求項２１】
前記第一磁気固定構造、前記第二磁気固定構造、前記第三磁気固定構造と、前記第四磁気固定構造が構成したグループの中の一つの磁気作用面の相対面に透磁材料層を更に含む請求項
１９
　　【請求項２２】
前記回転子構造と前記ハウジングの間に位置する一つの界面構造を更に含み、前記回転子構造は、前記界面構造を通して前記ハウジングと互いに接触し、且つ、前記界面構造の形式は、球状、楕円状、渦巻き状、トップが弧状の円錐状、対応する両側に曲面を有する構造、トップが弧状の矢の形、一つ側に曲面を有する構造で構成されたグループの中の一つから選ぶ請求項
１９
　　【請求項２３】
前記界面構造は、前記ピボット構造として機能する請求項
２２
　　【請求項２４】
少なくとも中心に一つの開口を有する一つの固定子ベース、前記開口内に位置する一つの第一磁気固定構造セット、前記開口の口部周縁に位置する一つの第二磁気固定構造セットと、前記固定子ベースの上に位置する一つの固定子磁極を含む固定子構造、および
前記固定子構造の側面上を覆い、少なくともハウジングと、前記開口に挿入される軸と、前記固定子磁極を囲む回転子磁石と、前記第一磁気固定構造セットに対向して配置される一つの第三磁気固定構造セットと、前記第二磁気固定構造セットに対向して配置される一つの第四磁気固定構造セットとを含む回転子構造を備え、
前記第一磁気固定構造セットは、前記第三磁気固定構造セットと互いに作用し、前記第二磁気固定構造セットは、前記第四磁気固定構造セットと互いに作用し、且つ前記第二磁気固定構造セット及び前記第四磁気固定構造セットと前記軸との距離は、前記第一磁気固定構造セット及び前記第三磁気固定構造セットと前記軸との距離より大きくする磁気軸受モーター。
　　【請求項２５】
中心に一つの開口を有する一つの固定子ベース、前記開口内に位置する一つの第一磁気固定構造と、前記開口の口部周縁に位置する一つの第二磁気固定構造と、前記固定子ベースの上に位置する固定子磁極を含む固定子構造、及びハウジングと、前記ハウジングから突出し、且つ前記開口に挿入される軸と、前記固定子磁極を囲む回転子磁石と、前記第一磁気固定構造に対向して配置される一つの第三磁気固定構造と、前記第二磁気固定構造に対向して配置される一つの第四磁気固定構造とを含む回転子構造を備え、前記第一磁気固定構造は、前記第二磁気固定構造の軸方向と互いに作用し、前記第四磁気固定構造は、前記第三磁気固定構造の軸方向と互いに作用する磁気軸受モーター。
　
（２）補正の適否の判断 
　そこで、本件補正が、平成１８年法律第５５号改正附則第３条第１項によりなお従前の例によるとされる同法による改正前の特許法（以下、「改正前の特許法」という。）第１７条の２第４項の各号に掲げる事項を目的とするものに該当するかについて検討する。
（ア）本件補正は、補正後の請求項１、１１及び１９において、補正前の請求項３、１４及び２２に記載された発明特定事項を付加した（すなわち、補正前の請求項３、１４及び２２に係る発明をそれぞれ、補正後の請求項１、１１及び１９に係る発明とした）ものであるとするが、補正前の請求項３に記載された「前記軸と前記第一磁石は、互いに吸引する」は補正後の請求項１において「前記軸と前記第一磁石は、互いに
作用
作用
作用
（イ）さらに、本件補正により、補正前の特許請求の範囲において「磁気軸受モータ」に係る独立請求項（他の請求項を引用しない請求項）は２つ（請求項１及び請求項２７）であったものが、補正後の特許請求の範囲において３つ（請求項１、請求項２４及び請求項２５）となっている。
　これは、本件補正が、「磁気軸受モータ」に係る独立請求項として請求項２５を追加する補正事項を含むことによるものである。
　これにつき、審判請求人は、「請求項２５は、追加した請求項であり、補正前の請求項１に記載の発明を限定的減縮したものであります。」（審判請求書３頁１０〜１１行）との主張をする。
　ここで、改正前の特許法第１７条の２第４項２号の「特許請求の範囲の減縮」は、補正前の請求項と補正後の請求項との対応関係が明白であって、かつ、補正後の請求項が補正前の請求項を限定した関係になっていることが明確であることが要請され、補正前の請求項と補正後の請求項とは、一対一又はこれに準ずるような対応関係にあるものでなければならない。
　本件補正における請求項２５を追加する補正事項は、補正前の請求項１に記載された発明特定事項を限定する趣旨でされたものであるとしても、審判請求人の「請求項１は、補正前の請求項１に請求項３に記載の構成要件を付加しています。」（審判請求書２頁末行〜３頁１行）との説明によると、補正前の請求項１に対して補正後の請求項１が一対一又はこれに準ずるような対応関係にあるのであるから、補正前の請求項１に対して補正後の請求項２５が一対一又はこれに準ずるような対応関係にあるものとすることはできない。
　加えて、補正後の請求項２５において、補正前の請求項１に記載された「軸の軸心の延伸線は前記第一磁気固定構造上を通過し」との発明特定事項が削除されており、改正前の特許法第１７条の２第４項に掲げるいずれの目的にも該当しない。
　また、補正前の請求項２７は補正後の請求項２４に対応しているので、補正後の請求項２５を補正前の請求項２７に対応させることはできない。
　そうすると、本件補正における請求項２５を追加する補正事項は、新たな発明を記載した請求項を追加する補正（いわゆる増項補正）であることが明らかであるから、「特許請求の範囲の減縮」を目的としたものではないというべきである。
（ウ）そして、これら請求項１、１１、１９及び２５についての補正事項が、改正前の特許法第１７条の２第４項において掲げる請求項の削除（１号）、誤記の訂正（３号）、明りょうでない記載の釈明（４号）を目的とするものともいえない。
　
（３）むすび
　したがって、本件補正は、改正前の特許法第１７条の２第４項の規定に違反するので、同法第１５９条第１項において読み替えて準用する同法第５３条第１項の規定により却下すべきものである。
　
３．本願発明について
（１）本願発明
　本件補正は上記のとおり却下されたので、本願の請求項２７に係る発明（以下、同項記載の発明を「本願発明」という。）は、平成１９年１２月１１日付け手続補正書の特許請求の範囲の請求項２７に記載された事項により特定される、以下のとおりのものである。
「少なくとも中心に一つの開口を有する一つの固定子ベース、前記開口内に位置する一つの第一磁気固定構造セット、前記開口の口部周縁に位置する一つの第二磁気固定構造セットと、前記固定子ベースの上に位置する一つの固定子磁極を含む固定子構造、および
　前記固定子構造の側面上を覆い、少なくともハウジングと、前記開口に挿入される軸と、前記固定子磁極を囲む回転子磁石と、前記第一磁気固定構造セットに対向して配置される一つの第三磁気固定構造セットと、前記第二磁気固定構造セットに対向して配置される一つの第四磁気固定構造セットとを含む回転子構造を備え、
　前記第一磁気固定構造セットは、前記第三磁気固定構造セットと互いに作用し、前記第二磁気固定構造セットは、前記第四磁気固定構造セットと互いに作用し、且つ前記第二磁気固定構造セット及び前記第四磁気固定構造セットと前記軸との距離は、前記第一磁気固定構造セット及び前記第三磁気固定構造セットと前記軸との距離より大きくする磁気軸受モーター。」
　
（２）引用例
（２−１）引用例１
　原査定の拒絶の理由に引用された特開２００２−３４２０５号公報（以下、「引用例１」という。）には、図面とともに次の事項が記載されている。
　
・「【請求項１】  回転軸と、前記回転軸を回転自在に軸支するオイルを含浸した含油軸受と、を備えるファンモータにおいて、
前記回転軸の一端部には、第一回転子側反発用磁石と、第一油切り円板と、を備え、
前記含油軸受の一端面には、第一軸受凹部が形成され、その外周部に第一固定子側反発用磁石を備え、
前記回転軸の他端部には、第二回転子側反発用磁石と、第二油切り円板と、を備え、
前記含油軸受の他端面には、第二軸受凹部が形成され、その外周部に第二固定子側反発用磁石を備え、
前記第一回転子側反発用磁石と前記第一固定子側反発用磁石とは、面対向し、その対向面の磁極はお互いに同磁極であり、
前記第二回転子側反発用磁石と前記第二固定子側反発用磁石とは、面対向し、その対向面の磁極はお互いに同磁極であり、
前記第一油切り円板は前記第一軸受凹部内に臨み、前記第二油切り円板は前記第二軸受凹部内に臨み、
前記第一油切り円板と前記第二油切り円板とは、前記回転軸から流出しようとするオイルを、前記回転軸の回転とともに前記第一軸受凹部内又は前記第二軸受凹部内に前記オイルを散飛する事を特徴とするファンモータ。」
　
・「【０００１】
【発明の属する技術分野】本発明は、送風機の一種であり、テレビケーム、パソコン、パソコン周辺機器、カーナビゲーションシステム、各種計測機器などの電気電子機器などの内部からその外部への放熱の拡散に用いられるファンモータに関する。
【０００２】一般にファンモータは、モータの効率を良くするための措置として摺動摩擦の低減を目的とした工夫がなされてきた。一般にオイルを含浸した軸受である含油軸受を用いたファンモータは、回転軸のスラスト方向の移動を規制するために、スラスト軸受などのスラスト受けを用いなければいけなかった。このため、回転軸とスラスト受けとの摺動摩擦によるエネルギーの損失が問題になっていた。
【０００３】更に、回転軸とスラスト受けとが当節しているため、当該ファンモータのケースに回転軸の振動が伝わりやすくなりファンモータから発生する振動及び騒音の増大を引き起こす原因となっていた。
【０００４】
【従来の技術】上記のような欠点を解消するために、本発明者は、特開２０００−０５０６０５に開示された発明を特許出願した。前記発明に係るファンモータの固定子と回転子とに反発用磁石を備え、固定子側の該反発用磁石と回転子側の該反発用磁石との対向面を同磁極にして、これにより発生する斥力により当該ファンモータの回転軸のスラスト方向の移動を規制していた。このため、前記回転軸のスラスト方向の移動は、非接触で規制する事ができ、前記回転軸の摺動摩擦を低減する事ができ、当該ファンモータのモータの効率を改善することができた。」
　
・「【０００８】請求項１に記載の発明によれば、前記第一回転子側反発用磁石と前記第一固定子側反発用磁石との間で発生する斥力と、前記第二回転子側反発用磁石と前記第二固定子側反発用磁石との間で発生する斥力と、により前記回転軸のスラスト方向の移動を非接触に規制する事ができ、更に、該回転軸に付着し流出しようとする当該軸受に含浸されたオイルは、前記第一油切り円板又は第二油切り円板の回転力により、前記第一軸受凹部又は前記第二軸受凹部内に散飛され前記オイルは、再び前記軸受内部へと循環するので、前記軸受に含浸されたオイルは欠乏することなく、前記回転軸と前記軸受との摺動音の増加を抑制し、前記回転軸と前記軸受とが焼き付くことを防止することができる。」
　
・「【０００９】
【発明の実施の形態】図１乃至図３を用いて、本発明の実施の形態にかかるファンモータ１について説明する。図１は、本発明に係るファンモータ１の断面図。図２は、同ファンモータ１の分解斜視図。図３は、同ファンモータ１の含油軸受１４に含浸されているオイルの循環の様子を説明する図。ファンモータ１は、回転子２と固定子３とからなり、固定子３は電機子４を備え、回転子２は磁石４を備える。
【００１０】以下、ファンモータ１の回転子２について説明する。回転子２は、その中心部に回転軸１９を備える。該回転軸１９は、その先端部にホルダー９をそなえている。ホルダー９は、回転軸１９の軸方向先端側より順に、インペラ８、第一回転子側反発用磁石１５、第一油切り円板２１がそなえられている。
【００１１】インペラ８は、その外周部に羽根を備え、回転軸１９の回転とともに回転し風を起こす。前記風は、ファンモータ１の上端部にある固定子開口端部２５から空気を吸い込み、空気排出口２６から排出される。インペラ８は、固定子側に面した位置に磁石５を備えている。磁石５は、薄板リング形状をしており、周方向に隣あう磁極が異磁極となるように４磁極に等間隔に着磁されている。
【００１２】磁石５の内周部に位置しているホルダー９の段部上に第一回転子側反発用磁石１５を固定している。第一回転子側反発用磁石１５は、薄板リング形状をしており、軸方向端面はそれぞれ単極になるように着磁されている。
【００１３】ホルダー９の軸受側端面には第一油切り円板２１が固定されている。第一油切り円板２１は、薄板形状をしている。インペラ８は、鉄などの磁性体金属でできておりヨークの働きを持つ。
【００１４】回転軸１９の他端部には、第二回転子側反発用磁石１７とこれを支持する磁石支持体２４が備えられている。第二回転子反発用磁石１７は、薄板リング形状をしており、軸方向端面はそれぞれ単極になるように着磁されている。磁石支持体２４は、第二回転子反発用磁石１７が回転軸１９に取り付けられるための補強の役割を持つので、第二回転子反発用磁石１７が、それ単体で回転軸１９に十分に備えられるのであれば、磁石支持体２４は必要ない。
【００１５】以下、ファンモータ１の固定子３について説明する。固定子３は、ケーシング１０と、ケーシング１０の内部に固定される電機子４と、ケーシング１０の中央部に位置する軸受収納部２７に含油軸受１４とを備える。
【００１６】ケーシング１０は、その内部に回転子２を回転自在に内包ための空間を有する。前記空間の中央部には、含油軸受１４を収納する軸受収納部２７をケーシング１０と一体に形成している。
【００１７】含油軸受１４は、回転軸１９が挿入される透孔の軸方向中央部に凹部が形成され、軸受油だまり部２８を備えている。この軸受油だまり部２８は、前記透孔と回転軸１９との摺動面積を小さくし、摺動摩擦を低減する働きをも持つ。含油軸受１４は、軸方向の両端面にそれぞれ第一軸受凹部２０と第二軸受凹部２２とを形成している。」
　
・「【００１９】含油軸受１４の両端外周部には、それぞれ第一固定子側反発用磁石１６と第二固定子側反発用磁石１８が固定されている。第一回転子側反発用磁石１５と第一固定子側反発用磁石１６とは、面対向の位置関係にあり、対向する面にはそれぞれ同磁極のＮ極の単磁極が着磁されており斥力が発生している。一方、第二回転子側反発用磁石１７と第二固定子側反発用磁石１８とは、面対向の位置関係にあり、対向する面にはそれぞれ同磁極のＳ極の単磁極が着磁されており斥力が発生している。このため、回転軸１９は、両端方向から斥力が作用するため、スラスト方向の移動が規制される。
【００２０】電機子４は、第１コイル６と第２コイル７と基板１１とコイルヨーク１２とでできている。基板１１には、ファンモータ１を駆動するための回路が備えられており第１コイル６と第２コイル７とに電流を流すことにより駆動させている。リード線２８を通じてファンモータ１の外部にある電源からファンモータ１に電力を供給する。
【００２１】基板１１とコイルヨーク１２は、接着板１３により接着されている。コイルヨーク１２と第１コイル６、第２コイル７と、は接着板１３により固定されている。ファンモータ１は、一相通電駆動方式であり、第一コイル６と第二コイル７とに通電するための電気回路を基板１１に備えている。」
　
・図１には、中央部に位置する軸受収納部２７の内方に一つの開口を有する一つのケーシング１０の底部、前記開口内に位置する一つの第二固定子側反発用磁石１８、前記開口の口部周縁に位置する一つの第一固定子側反発用磁石１６と、前記ケーシング１０の底部の上に位置する一つの電機子４を含む態様が示されている。　
　
・図１には、回転子２が、固定子３の上方を覆う態様が示されている。
　
　これらの記載事項及び図示内容を総合すると、引用例１には、次の事項からなる発明（以下「引用発明」という。）が記載されていると認めることができる。
「中央部に位置する軸受収納部２７の内方に一つの開口を有する一つのケーシング１０の底部、前記開口内に位置する一つの第二固定子側反発用磁石１８、前記開口の口部周縁に位置する一つの第一固定子側反発用磁石１６と、前記ケーシング１０の底部の上に位置する一つの電機子４を含む固定子３、および
　前記固定子３の上方を覆い、少なくともインペラ８及びホルダー９と、前記軸受収納部２７に収納された含油軸受１４の透孔に挿入される回転軸１９と、前記固定子側に面した位置に備えられた磁石５と、前記第二固定子側反発用磁石１８に面対向して配置される一つの第二回転子側反発用磁石１７と、前記第一固定子側反発用磁石１６に面対向して配置される一つの第一回転子側反発用磁石１５とを含む回転子２を備え、
　前記第二固定子側反発用磁石１８は、前記第二回転子側反発用磁石１７との間で斥力が発生し、前記第一固定子側反発用磁石１６は、前記第一回転子側反発用磁石１５との間で斥力が発生するファンモータ１。」
　
（２−２）引用例２
　同じく、原査定の拒絶の理由に引用された特開平９−９５６６号公報（以下「引用例２」という。）には、図面とともに次の事項が記載されている。
　
・「【０００８】
【第１の実施例】図１は、本発明の第１の実施例におけるディスク駆動用スピンドルモータの構成を示す要部断面図である。図１において、１はシャフトであり、このシャフト１にはアキシャル方向に２個のボールベアリングからなる軸受２、３がそれぞれ嵌合され、シャフト１はその軸受２、３を介してハウジング４に回転自在に支承されている。ボールベアリングの他に焼結含油軸受等であっても差し支えない。また、ハウジング４には合成樹脂、アルミダイキャストあるいは黄銅などが用いられる。そして、ハウジング４には珪素鋼板等の薄板を複数枚積層してなる鉄心５が固定されており、この鉄心５にはコイル６が備えられている。
【０００９】一方、シャフト１の所定部にはボス１０を介してカップ状に形成されたヨーク７が固定されている。そして、このヨーク７にはマグネット８が取り付けられ、このマグネット８はコイル６を備えた鉄心５に対して所定の空隙を介するようにしてヨーク７に配置されている。」
　
・図１には、カップ状に形成されたヨーク７が、ハウジング４に固定され、コイル６を備えた鉄心５の側面上を覆う態様、及び、前記ヨーク７における、前記コイル６を備えた前記鉄心５の側面と対向する内周側面に、マグネット８を取り付ける態様が示されている。
　
（３）対比
　そこで、本願発明と引用発明とを、その機能・作用を考慮して比較する。
　
・後者の「中央部に位置する軸受収納部２７の内方に一つの開口を有する」態様は、前者の「少なくとも中心に一つの開口を有する」態様に相当する。
　
・後者の「ケーシング１０の底部」は、前者の「固定子ベース」に相当する。
　
・本願の明細書中には「磁気固定構造セット」について何ら説明がなく、「磁気固定構造セット」は、磁石によって構成される「磁気固定構造」と同義であると認められる。
　そうすると、後者の「第二固定子側反発用磁石１８」は前者の「第一磁気固定構造セット」に、後者の「第一固定子側反発用磁石１６」は前者の「第二磁気固定構造セット」に、後者の「第二回転子側反発用磁石１７」は前者の「第三磁気固定構造セット」に、後者の「第一回転子側反発用磁石１５」は前者の「第四磁気固定構造セット」に、それぞれ相当する。
　
・後者の「電機子４」については、引用例１の段落【００２０】において「電機子４は、第１コイル６と第２コイル７と基板１１とコイルヨーク１２とでできている。基板１１には、ファンモータ１を駆動するための回路が備えられており第１コイル６と第２コイル７とに電流を流すことにより駆動させている。リード線２８を通じてファンモータ１の外部にある電源からファンモータ１に電力を供給する。」との記載がされており、他方、前者の「固定子磁極」については、本願明細書の段落【００３３】に「固定子磁極１５２は、固定子ベース１０２の周縁を囲い、固定子ベース１０２の上に固定される。固定子磁極１５２は、シリコン鋼１０４とソレノイド１２０によって構成され、回転子構造を駆動し、運転を作動する。固定子磁極１５２は、例えば、軸方向のソレノイド（図１）、径方向のソレノイドである。」との記載がされている。
　これら記載によれば、後者の「電機子４」は前者の「固定子磁極」に相当する。
　
・後者の「固定子３」は、前者の「固定子構造」に相当する。
　
・後者の「固定子３の上方を覆」う態様と、前者の「固定子構造の側面上を覆」う態様とは、「固定子構造を覆」うとの概念で共通する。
　
・後者の「インペラ８及びホルダー９」は、前者の「ハウジング」に相当する。
　
・後者の「軸受収納部２７に収納された含油軸受１４の透孔に挿入される回転軸１９」については、ケーシング１０の底部が軸受収納部２７の内方に有する一つの開口に、含油軸受１４が位置しているのであるから、含油軸受１４の透孔に挿入される回転軸１９は当該開口に挿入されることになる。
　よって、後者の「軸受収納部２７に収納された含油軸受１４の透孔に挿入される回転軸１９」は、前者の「開口に挿入される軸」に相当する。
　
・後者の「固定子側に面した位置に備えられた」態様と、前者の「固定子磁極を囲む」態様とは、「固定子磁極と対向する」との概念で共通する。
　
・後者の「磁石５」は、前者の「回転子磁石」に相当する。
　
・後者の「面対向」は、後者の「対向」に相当する。
　
・後者の「回転子２」は、前者の「回転子構造」に相当する。
　
・後者の「との間で斥力が発生」する態様は、前者の「と互いに作用」する態様に相当する。
　
・前者の「磁気軸受モーター」における「磁気軸受」については、本願の明細書における実施例の記載を参酌すると、磁気による軸の支持に加え、耐摩擦構造による機械的な軸の支持もされていることから、磁気による軸の支持を含む軸受と解することができる。
　そうすると、後者の「ファンモータ１」は、含油軸受１４による回転軸１９の機械的な支持を行っているものの、スラスト方向（軸方向）の回転軸１９の支持を磁気により行うことも含んでいるのであるから、前者の「磁気軸受モーター」に相当する。
　
　したがって、両者は、
「少なくとも中心に一つの開口を有する一つの固定子ベース、前記開口内に位置する一つの第一磁気固定構造セット、前記開口の口部周縁に位置する一つの第二磁気固定構造セットと、前記固定子ベースの上に位置する一つの固定子磁極を含む固定子構造、および
前記固定子構造を覆い、少なくともハウジングと、前記開口に挿入される軸と、前記固定子磁極と対向する回転子磁石と、前記第一磁気固定構造セットに対向して配置される一つの第三磁気固定構造セットと、前記第二磁気固定構造セットに対向して配置される一つの第四磁気固定構造セットとを含む回転子構造を備え、
　前記第一磁気固定構造セットは、前記第三磁気固定構造セットと互いに作用し、前記第二磁気固定構造セットは、前記第四磁気固定構造セットと互いに作用する磁気軸受モーター。」
の点で一致し、以下の点で相違している。
　
［相違点１］
　回転子構造に関し、本願発明では回転子構造が固定子構造の側面上を覆うものであるのに対して、引用発明では回転子構造が固定子構造の上方を覆うものである点。
　
［相違点２］
　回転子磁石に関し、本願発明では回転子磁石が固定子磁極を囲むものであるのに対して、引用発明では回転子磁石が固定子側に面した位置に備えられたものである点。
　
［相違点３］
　本願発明では、第二磁気固定構造セット及び第四磁気固定構造セットと軸との距離は、第一磁気固定構造セット及び第三磁気固定構造セットと前記軸との距離より大きくするものであるのに対して、引用発明では、そのような特定はされていない点。
　
（４）判断
　上記相違点について検討する。
［相違点１及び２について］
　例えば、引用例２に記載されているように、回転子構造を固定子構造の外部に有するモーター（所謂、アウターローター型のモーター）において、回転子構造（カップ状に形成されたヨーク７）が固定子構造（ハウジング４に固定され、コイル６を備えた鉄心５）の側面上を覆うこと、及び、前記回転子構造における、前記固定子構造の側面と対向する内周側面に、回転子磁石（マグネット８）を取り付けることは、本願の出願前に周知技術であり、この周知技術によりモーターの軸方向の寸法を短くできることはその構造からみて明らかであるから、これを同じアウターローター型のモーターである引用発明に適用することは、寸法条件に応じて当業者が適宜なし得ることである。
　そして、引用例１の図２にも記載されているように、回転子磁石（磁石５）は周方向の全体にわたって配置されるのが通常であるから、上記適用により回転子磁石が固定子磁極を囲むものとなる。
　そうすると、引用発明に上記周知技術を適用することにより、相違点１及び２に係る本願発明の構成とすることは当業者が容易になし得たものと認められる。
　
［相違点３について］
　本願発明の「第二磁気固定構造セット及び第四磁気固定構造セットと軸との距離は、第一磁気固定構造セット及び第三磁気固定構造セットと前記軸との距離より大きくする」との事項については、本願の図８の記載に基づくものであって、本願の明細書には何ら説明がない（平成１９年１２月１１日付け意見書によると、明細書の段落【００５８】及び【００５９】も開示箇所として挙げられているが、これらには何ら説明がない。）。
　そして、上記事項に関し、平成１９年１２月１１日付け意見書において、「磁気軸受モーターにこのような構成を備えることにより、「回転子構造１４２が傾斜の作用力をいくらか受けたとき、磁気固定構造１３８，１４０（第二、第四磁気固定構造）が互いに吸引する吸引力に、中心に向かって正しく導く効果がある」（本願明細書［００４７］参照）ことになります。詳しく説明しますと、第二、第四磁気固定構造セットと軸の距離が比較的遠いために、傾斜の作用力で引き起こされたモーメントを平衡するための比較的に大きなモーメントを容易に生じるので、傾斜の作用力のもとで、前記各引用文献に記載の発明に比べて本願発明は容易に回転子構造を正しく導くことができ」（２頁２３行〜同頁３０行）との作用効果の記載がされているが、本願発明においては、「第二磁気固定構造セットは、第四磁気固定構造セットと互いに作用する」とされており、第二磁気固定構造セットと第四磁気固定構造セットとが「吸引」するとはしていないのであるから、本願発明が上記作用効果を奏するものとは認められない。
　そうすると、本願発明の上記事項、すなわち、上記相違点３に係る本願発明の構成は、これに格別な技術的意義を認めることができないことから、当業者が適宜なし得る設計的事項と認めざるを得ない。
　
　そして、本願発明の全体構成により奏される作用効果は、引用発明及び上記周知技術から当業者が予測し得る範囲内のものである。
　
（５）むすび
　したがって、本願発明は、引用発明及び上記周知技術に基づいて、当業者が容易に発明をすることができたものであるから、特許法第２９条第２項の規定により特許を受けることができない。
　
　よって、結論のとおり審決する。